(57)【要約】【課題】新たなフォーマットにも効率的に対応可能な動画像の記録再生装置を提供する。【解決手段】動画像を記録媒体に記録し、再生する記録再生装置であって、動画像データを生成するための撮影手段と、前記撮影手段からの動画像データを処理する第１の記録フォーマットに対応した第１の処理手段と、前記撮影手段からの動画像データを処理する第２の記録フォーマットに対応した第２の処理手段と、前記第１及び第２の処理手段における処理のプログラムを格納する記憶手段と、前記第１及び第２の処理手段と、前記記憶手段との間に位置し、前記第１及び第２の処理手段から前記記憶手段へのアクセスを制御する仲介手段とを備える。【選択図】図１
2008085656.tif 000002
【特許請求の範囲】
【請求項１】
動画像を記録媒体に記録し、再生する記録再生装置であって、
動画像データを生成するための撮影手段と、
前記撮影手段からの動画像データを処理する第１の記録フォーマットに対応した第１の処理手段と、
前記撮影手段からの動画像データを処理する第２の記録フォーマットに対応した第２の処理手段と、
前記第１及び第２の処理手段における処理のプログラムを格納する記憶手段と、
前記第１及び第２の処理手段と、前記記憶手段との間に位置し、前記第１及び第２の処理手段から前記記憶手段へのアクセスを制御する仲介手段と
を備えることを特徴とする記録再生装置。
【発明の詳細な説明】
【技術分野】
【０００１】
本発明は、記録再生装置に関する。
【背景技術】
【０００２】
近年、ハイビジョン対応大画面テレビの普及に伴い、撮影もハイビジョンの高画質で行いたいというニーズが高まっている。しかし、現在、従来のＤＶ方式での撮影を行っているユーザも多く、今後、小型・軽量なＤＶＣ（Ｄｉｇｉｔａｌ  Ｖｉｄｅｏ  Ｃａｍｅｒａ）において両方式（フォーマット）に対応したＤＶＣのニーズが更に高まってくるものと考えられる。
【０００３】
このニーズに対し、既存のフォーマットに対応した記録再生装置を新しいフォーマットに対応させるために、新たに回路を付加することなく、記録再生装置を構築するシステムが提案されている（例えば、特許文献１）。
【０００４】
しかしながら、提案技術のように、ＤＶ方式のシステムにアドオンして、ハイビジョン方式に対応させた場合、システム制御用マイコン等の処理負荷が増える。また、フォーマットに応じたシステムの切り替えが必要であり、マイコンの制御プログラムをリロードしなければならない。その結果、フォーマットに応じたシステムの起動に時間がかかり、ユーザフレンドリーではない。
【特許文献１】特開平６−１７６４９２号公報
【発明の開示】
【発明が解決しようとする課題】
【０００５】
このように、新たなフォーマットに効率的に対応可能な動画像の記録再生装置を提供することが困難であった。
【０００６】
そこで、本発明は、新たなフォーマットにも効率的に対応可能な動画像の記録再生装置を提供することを目的とする。
【課題を解決するための手段】
【０００７】
本発明は、動画像を記録媒体に記録し、再生する記録再生装置であって、
動画像データを生成するための撮影手段と、
前記撮影手段からの動画像データを処理する第１の記録フォーマットに対応した第１の処理手段と、
前記撮影手段からの動画像データを処理する第２の記録フォーマットに対応した第２の処理手段と、
前記第１及び第２の処理手段における処理のプログラムを格納する記憶手段と、
前記第１及び第２の処理手段と、前記記憶手段との間に位置し、前記第１及び第２の処理手段から前記記憶手段へのアクセスを制御する仲介手段と
を備えることを特徴とする。
【発明の効果】
【０００８】
本発明によれば、新たなフォーマットにも効率的に対応可能な動画像の記録再生装置を提供することができる。
【発明を実施するための最良の形態】
【０００９】
以下、添付する図面を参照して、発明の実施形態を説明する。
【００１０】
［第１の実施形態］
図１に本発明の第１の実施形態に係るＤＶＣシステムの一構成例を示す。当該ＤＶＣシステムは、本実施形態ではデジタルビデオカメラの形態で実施可能である。また、動画撮影機能を有するデジタルスチルカメラ、携帯電話、ＰＤＡ、或いは、ノートパソコンの形態でも実施可能である。
【００１１】
図１において、ＤＶＣシステム１００には、ハイビジョン方式のシステムに対応した機能ブロック（ＭＯＤＥ１）１０１と、従来のＤＶ方式のシステムに対応した機能ブロック（ＭＯＤＥ２）１０２とが含まれる。
【００１２】
マイコン１０３はハイビジョン方式のシステムを制御する。ホストマイコン１０４は、システム全体を制御する。機能ブロック群１０５は、ハイビジョン方式のシステムに対応した処理をそれぞれ実行するブロック１乃至ブロック５で構成される。機能ブロック群１０６は、従来のＤＶ方式のシステムに対応した処理をそれぞれ実行するブロック６乃至１０により構成される。
【００１３】
コントローラ１０７は、機能ブロック群１０６の各ブロックを制御する。ＳＤＲＡＭ１０８は、メモリインタフェース１０９を介して機能ブロック群１０５や１０６と接続する。メモリ１１０は、プログラム格納用のメモリである。記録・再生ヘッド１１１は、テープ等の記録メディア１１２への記録、再生を行うためのヘッドである。カメラ部１１３は、被写体を撮影し映像信号を出力する。モード切替スイッチ１１４は、撮影モードを通常のＤＶ方式とハイビジョン方式とで切り替えるためのスイッチである。
【００１４】
なお、ＳＤＲＡＭ１０８には、制御プログラム格納エリアが設けられている。システムにおいて、機能ブロック群１０５及び１０６は、メモリインターフェース１０９を介して、それぞれがＳＤＲＡＭ１０８にデータを読み書きすることで、該データに対する信号処理を行う構成となっている。メモリインタフェース１０９は、機能ブロック群１０５及び１０６における各機能ブロック（１〜５、６〜１０）から発生されるメモリアクセス要求（Ｒｅｑｕｅｓｔ）を調停し、時分割で各機能ブロックからのアクセスを割り付ける。
【００１５】
次に、本実施形態に対応する処理について、図２を参照して説明する。図２は、本実施形態に対応する処理の一例を示すフローチャートである。
【００１６】
ユーザがＤＶ方式で撮影する場合、ユーザは、まずＤＶＣシステムの電源を投入する（Ｓ２０１）。該ＤＶＣのシステム電源投入後、ホストコントローラ１０４は、プログラム格納用のメモリ１１０から、システムプログラムをロードする（Ｓ２０２）。そして、ＤＶ方式の機能ブロック群１０６を制御するコントローラ１０７に対し、種々の設定（初期設定）を行う（Ｓ２０３）。
【００１７】
該コントローラ１０７は、ＳＤＲＡＭ１０８に対するシーケンス制御（メモリアクセスのトラック単位、またはフレーム単位のアドレス制御を）を行う。
そしてユーザがモード切替スイッチをＤＶ方式（フォーマット）に設定する（Ｓ２０４）。ＤＶ方式のモードで撮影する際、機能ブロック群１０５における各機能ブロック（１〜５）から送出されるメモリアクセス要求（Ｒｅｑｕｅｓｔ）をメモリインターフェース部１０９にてマスクする（Ｓ２０５）。例えば、該マスク処理の設定は、モード切替スイッチの状態に基づいて、ホストマイコン１０４からの指示でメモリインターフェース部１０９内に設けたレジスタを設定することにより、マスクする。
これにより、ハイビジョン方式のシステムに対応した機能ブロック群１０５における各機能ブロック（１〜５）は、メモリインターフェース１０９を介してＳＤＲＡＭ１０８に対して、アクセスを行うことができない。従って、記録メディア１１２に記録されることはない。
【００１８】
ＤＶ方式のモードにて、撮影の準備ができた後、カメラ部１１３からの映像信号は、ＤＶ方式の機能ブロック群１０６に入力される。機能ブロック群１０６の各機能ブロック６から１０において、該映像信号の記録に必要な処理を行うため、メモリアクセス要求（Ｒｅｑｕｅｓｔ）をメモリインターフェース１０９に送出する。
メモリインターフェース１０９は、受け付けた該メモリアクセス要求（Ｒｅｑｕｅｓｔ）に対して調停を行う。そして、各機能ブロック（６〜１０）からのメモリアクセス要求（Ｒｅｑｕｅｓｔ）に対してアクセス許可（Ａｃｋｎｏｗｌｅｄｇｅ）信号を返送する。この調停処理の順番に従って、機能ブロック群１０６内の各機能ブロック６〜１０は、順番に処理を行い、メモリインターフェース１０９を介して、ＳＤＲＡＭ１０８にアクセスする。そして、最終的に記録順序にしたがってＳＤＲＡＭ１０８からデータを読み出し、該データに対し、変調を行って記録・再生ヘッド１１１に供給し、記録メディア１１２に記録される（Ｓ２１０）。
【００１９】
また、ここで、マイク部（不図示）から入力する音声信号については、ＳＤＲＡＭ１０８においてＡＵＤＩＯ信号格納エリアを設け、映像信号と同様のシーケンスで処理を行うものとする。
【００２０】
次にユーザが前述のＤＶ方式のモードで撮影後、ハイビジョン方式のモードに切り替えて撮影する場合を述べる。このとき、モード切替スイッチの撮影モードに従って（Ｓ２０４）、ホストマイコン１０４は、機能ブロック（６〜１０）から送出されるメモリアクセス要求（Ｒｅｑｕｅｓｔ）をメモリインターフェース部１０９にてマスク処理する（Ｓ２０５）。
【００２１】
例えば、メモリインターフェース部１０９内にレジスタを設け、ホストマイコン１０４からの指示で該レジスタを設定することにより、マスクする。また、同時にメモリインターフェース部１０９内のレジスタ設定にてマスク処理されていた、各機能ブロック（１〜５）から送出されるメモリアクセス要求（Ｒｅｑｕｅｓｔ）に対するマスク設定を解除する。
【００２２】
こうすることにより、該ＤＶ方式のシステムに対応した機能ブロック群１０６における各機能ブロック（６〜１０）は、メモリインターフェース１０９を介してＳＤＲＡＭ１０８に対して、アクセスを行わない。一方、ハイビジョン方式のシステムに対応した機能ブロック群１０５における各機能ブロック（１〜５）がメモリインターフェース１０９を介してＳＤＲＡＭ１０８に対して、アクセスを行うことが可能となる。
【００２３】
上記メモリインターフェース１０９におけるメモリアクセス要求（Ｒｅｑｕｅｓｔ）に対するマスク処理後、システムマイコン１０４はマイコン１０３に対し、割り込み信号（ｉｎｔｅｒｒｕｐｔ）を送出する（Ｓ２０６）。マイコン１０３は、該割り込み信号の状態に基づき、ＳＤＲＡＭ１０８のプログラム領域におけるプログラムを実行する（Ｓ２０８）。更に、このとき、次のモード切替に準備のために割り込み信号（ＩＮＴＥＲＲＵＰＴ）を解除する（Ｓ２０７）。
【００２４】
ハイビジョン方式での撮影の準備ができた後、カメラ部１１３からの映像信号は、ＤＶ方式の機能ブロック群１０５に入力される。該映像信号は、機能ブロック群１０５において、記録に必要な処理を行うため、メモリアクセス要求（Ｒｅｑｕｅｓｔ）をメモリインターフェース１０９に送出する。メモリインターフェース１０９は、該メモリアクセス要求（Ｒｅｑｕｅｓｔ）に対して調停を行い、それぞれの機能ブロック（１〜５）からのメモリアクセス要求（Ｒｅｑｕｅｓｔ）に対してアクセス許可（Ａｃｋｎｏｗｌｅｄｇｅ）信号を返送する。
【００２５】
この調停処理の順番に従って、機能ブロック群１０５は、ＳＤＲＡＭ１０８に対するシーケンス制御（メモリアクセスのトラック単位またはフレーム単位のアドレス制御を）を行う。これにより、順番に処理を行い、メモリインターフェース１０９を介して、ＳＤＲＡＭ１０８にアクセスする。そして、最終的に記録順序にしたがってＳＤＲＡＭ１０８からデータを読み出し、該データに対して変調を行って記録・再生ヘッド１１１に供給し、記録メディア１１２に記録される（Ｓ２０９）。
【００２６】
再生処理も同様にＳＤＲＡＭ１０８を介して所望の処理を行なう。ＳＤＲＡＭ１０８に対し、記録メディア１１２から記録・再生ヘッド１１１により、１トラックずつ再生されたデータに対し、復調を行ない、ＳＤＲＡＭ１０８に書き込む。そして、機能ブロック群１０５、または１０６はＳＤＲＡＭ１０８を介して所望の処理を行ない、映像信号に出力する。
【００２７】
このように、メモリインターフェース１０９を介して、ＳＤＲＡＭ１０８にデータを読み書きすることで該データに対し、それぞれの信号処理を行う構成を有する。従って、マイコン１０３にはプログラムを置かずに、ＳＤＲＡＭ１０８にプログラム領域を設け、該領域にアクセスし、プログラムを実行する。よって、方式（フォーマット）が切り替っても、フォーマットに応じ、その都度、マイコン１０３にプログラムをリロードする必要がなく、ＳＤＲＡＭ１０８に対するメモリアクセス要求（Ｒｅｑｕｅｓｔ）をマスクするだけでよい。ゆえに、ユーザにストレスを与えることなく、方式（フォーマット）を切り替えることができる。
【００２８】
また、方式（フォーマット）に応じて、処理を分散でき、マイコンの負荷を軽減することができ、各種信号処理の演算速度の低下を防ぐことができる。更に、負荷を分散し、各々のマイコンの最大処理能力に対して、余裕を持たせることにより、消費電力を低減することも可能である。
【００２９】
本実施形態では、ＤＶ方式に加え、ハイビジョン方式にも対応したＤＶＣのシステムにおいて、各方式（フォーマット）に対して、マイコンを有することにより、各処理の負荷を分散することができる。よって、各方式（フォーマット）に応じてプログラムをロードし直す必要がない。その結果、ユーザに対し、方式（フォーマット）の切り替えを意識させることなく、また、ストレスを与えることなく、短時間で方式（フォーマット）移行でき、所望のモードに切り替え、システムを起動することが可能となる。更に、負荷を分散させることにより、各々のフォーマットにおける処理に要する演算速度向上も可能となる。
【００３０】
［第２の実施形態］
本発明の他の実施形態について説明する。図３に本実施形態に関わるシステムを示す。
【００３１】
図中、３０１はメモリであり、３０２はアービターである。マイコン１０３、およびホストマイコン１０４はアービター３０２経由で該メモリ３０１に対してアクセス可能とする。
【００３２】
シーケンスの一例を図４のフローチャートに基づいて、説明する。システムの電源投入後（Ｓ４０１）、ホストマイコン１０４は、プログラム格納用のメモリ１１０から、プログラムをロードする（Ｓ４０２）。そして、ＤＶ方式の機能ブロック群１０６を制御するコントローラ１０７に対し、種々の設定（初期設定）を行う（Ｓ４０３）。
【００３３】
該コントローラ１０７は、ＳＤＲＡＭ１０８に対するシーケンス制御（メモリアクセスのトラック単位またはフレーム単位のアドレス制御を）を行う。
【００３４】
ユーザがモード切替スイッチをＤＶ方式（フォーマット）に設定し（Ｓ４０４）、ＤＶ方式のモードで撮影する場合は、ステップＳ４１１に進む。ステップＳ４１１では、各機能ブロック（６〜１０）に各々起動レジスタを設け、該起動レジスタの設定により、該各機能ブロック（６〜１０）を起動させる。
【００３５】
ＤＶ方式での撮影の準備ができた後、カメラ部１１３からの映像信号は、ＤＶ方式の機能ブロック群１０６に入力される。該映像信号は、機能ブロック群１０６において、記録に必要な処理を行うため、メモリアクセス要求（Ｒｅｑｕｅｓｔ）をメモリインターフェース１０９に送出する。メモリインターフェース１０９は、受け付けた該メモリアクセス要求（Ｒｅｑｕｅｓｔ）に対して調停を行い、それぞれの機能ブロック（６〜１０）からのメモリアクセス要求（Ｒｅｑｕｅｓｔ）に対してアクセス許可（Ａｃｋｎｏｗｌｅｄｇｅ）信号を返送する。
【００３６】
この調停処理の順番に従って、機能ブロック群１０６は、順番に処理を行い、メモリインターフェース１０９を介して、ＳＤＲＡＭ１０８にアクセスする。そして、最終的に記録順序にしたがってＳＤＲＡＭ１０８からデータを読み出し、該データに対して変調を行って記録ヘッド１１１に供給し、記録メディア１１２に記録される（Ｓ４１２）。
【００３７】
また、このとき、ハイビジョン方式のシステムに対応した機能ブロック群１０５に対しては、該機能ブロック群１０５の各機能ブロック（１〜５）に対して、起動を停止させておく。例えば、該機能ブロック群１０５における各機能ブロック（１〜５）に各々起動レジスタを設け、該起動レジスタの設定により、起動を停止させておく（Ｓ４１１）。
【００３８】
次にユーザが前述のＤＶ方式のモードで撮影後、ハイビジョン方式のモードに切り替えて撮影する場合を述べる。
【００３９】
このとき、モード切替スイッチ（Ｓ４０４）の撮影モード（ハイビジョン方式）に従って、ホストコントローラ１０４は、アービター３０２経由で、メモリ３０１に対して、撮影モード情報を書き込む（Ｓ４０５）。この場合、「ハイビジョン方式」のモード情報が書き込まれる。そして、メモリ３０１にモード情報が書き込まれた後、ホストマイコン１０４は、マイコン１０３に対し、割り込み信号（ＩＮＴＥＲＲＵＰＴ）を送出する（Ｓ４０６）。
【００４０】
マイコン１０３は、該割り込み信号に受信後、該割り込み信号をラッチし、モード情報が書き込まれたメモリ３０１の情報を読み出す（Ｓ４０７）。ここでは、該メモリ３０１から読み出した情報が「ハイビジョン方式」のモード情報なので、マイコン１０３は、メモリーインターフェース１０９を介して、ＳＤＲＡＭ１０８にアクセスする。そして、該ＳＤＲＡＭ１０８の制御プログラムを実行し、機能ブロック群１０５における各機能ブロック（１〜５）の起動レジスタを設定する（Ｓ４０８）。さらに、該機能ブロック群１０５を動作させ、ハイビジョン方式にて記録を行う（Ｓ４１０）。このとき、マイコン１０３は次のモード切替に準備のためにラッチしていた割り込み信号（ＩＮＴＥＲＲＵＰＴ）を解除する（Ｓ４０９）。
【００４１】
ハイビジョン方式での撮影の準備ができた後、カメラ部１１３からの映像信号は、ＤＶ方式の機能ブロック群１０５に入力される。該映像信号は、機能ブロック群１０５において、記録に必要な処理を行うため、メモリアクセス要求（Ｒｅｑｕｅｓｔ）をメモリインターフェース１０９に送出する。メモリインターフェース１０９は、受け付けた該メモリアクセス要求（Ｒｅｑｕｅｓｔ）に対して調停を行い、それぞれの機能ブロック（１〜５）からのメモリアクセス要求（Ｒｅｑｕｅｓｔ）に対してアクセス許可（Ａｃｋｎｏｗｌｅｄｇｅ）信号を返送する。
【００４２】
この調停処理の順番に従って、機能ブロック群１０５は、順番に処理を行う。即ち、ＳＤＲＡＭ１０８に対するシーケンス制御（メモリアクセスのトラック単位またはフレーム単位のアドレス制御を）を行い、メモリインターフェース１０９を介して、ＳＤＲＡＭ１０８にアクセスする。そして、最終的に記録順序にしたがってＳＤＲＡＭ１０８からデータを読み出し、該データに対して変調を行って記録ヘッド１１１に供給し、記録メディア１１２に記録される（Ｓ４１０）。
【００４３】
ハイビジョン方式のモードで撮影する際、ＤＶ方式のシステムに対応した機能ブロック群１０６に対しては、該機能ブロック群１０６における各機能ブロック（６〜１０）に対して、起動を停止させておく。例えば、該機能ブロック群１０６における各機能ブロック（６〜１０）に起動レジスタを設け、該起動レジスタの設定により、起動を停止させておく（Ｓ４０８）。
【００４４】
再生処理も同様にＳＤＲＡＭ１０８を介して所望の処理を行なう。ＳＤＲＡＭ１０８に対し、記録メディア１１２から記録・再生ヘッド１１１により、１トラックずつ再生されたデータに対し、復調を行ない、ＳＤＲＡＭ１０８に書き込む。
そして、機能ブロック群１０５、または１０６はＳＤＲＡＭ１０８を介して所望の処理を行ない、映像信号に出力する。
【００４５】
以上のように、モード（フォーマット）に応じて処理を分散させることにより、撮影モードはユーザにストレスを与えることなく、ＤＶ方式からハイビジョン方式に移行させることができる
［その他の実施形態］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００４６】
また、本発明の目的は、前述した機能を実現するソフトウェアのプログラムコードを記録した記憶媒体を、システムに供給し、そのシステムがプログラムコードを読み出し実行することによっても達成される。この場合、記憶媒体から読み出されたプログラムコード自体が前述した実施形態の機能を実現し、そのプログラムコードを記憶した記憶媒体は本発明を構成する。また、そのプログラムコードの指示に基づき、コンピュータ上で稼働しているオペレーティングシステム（ＯＳ）などが実際の処理の一部または全部を行い、その処理によって前述した機能が実現される場合も含まれる。
【００４７】
さらに、以下の形態で実現しても構わない。すなわち、記憶媒体から読み出されたプログラムコードを、コンピュータに挿入された機能拡張カードやコンピュータに接続された機能拡張ユニットに備わるメモリに書込む。そして、そのプログラムコードの指示に基づき、その機能拡張カードや機能拡張ユニットに備わるＣＰＵなどが実際の処理の一部または全部を行って、前述した機能が実現される場合も含まれる。
【００４８】
本発明を上記記憶媒体に適用する場合、その記憶媒体には、先に説明したフローチャートに対応するプログラムコードが格納されることになる。
【図面の簡単な説明】
【００４９】
【図１】本発明の第１の実施形態に係るＤＶＣシステムの一構成例を示す図である。
【図２】本発明の第１の実施形態に対応する処理の一例を示すフローチャートである。
【図３】本発明の第２の実施形態に係るＤＶＣシステムの一構成例を示す図である。
【図４】本発明の第２の実施形態に対応する処理の一例を示すフローチャートである。
【図１】
2008085656.tif 000003
【図２】
2008085656.tif 000004
【図３】
2008085656.tif 000005
【図４】
2008085656.tif 000006